(57)【要約】【課題】  圧縮機の生産性を低下させない冷媒ガス漏洩防止策が施された圧縮機を提供する。【解決手段】  冷媒の圧縮機構と、圧縮機構を収容するハウジングとを備え、ハウジングは互いに接合された複数の部分ハウジングにより構成され、部分ハウジングの接合部にシール部材が配設され、部分ハウジングの接合部を覆う冷媒捕集空間を有する冷媒捕集部材がハウジングの外面に取り付けられ、捕集空間内に冷媒吸着剤が配設されている。【選択図】  図１
2006046267.tif 000002
【特許請求の範囲】
【請求項１】
冷媒の圧縮機構と、圧縮機構を収容するハウジングとを備え、ハウジングは互いに接合された複数の部分ハウジングにより構成され、部分ハウジングの接合部にシール部材が配設され、部分ハウジングの接合部を覆う冷媒捕集空間を有する冷媒捕集部材がハウジングの外面に取り付けられ、捕集空間内に冷媒吸着剤が配設されていることを特徴とする圧縮機。
【請求項２】
前記冷媒吸着剤は活性炭であることを特徴とする請求項１記載の圧縮機。
【請求項３】
前記冷媒吸着剤はゼオライトであることを特徴とする請求項１記載の圧縮機。
【請求項４】
前記冷媒吸着剤は冷媒捕集空間の囲壁内面に担持されることを特徴とする請求項１乃至３の何れか１項に記載の圧縮機。
【請求項５】
冷媒捕集部材はハウジングに螺子止め固定されることを特徴とする請求項１乃至４何れか１項に記載の圧縮機。
【請求項６】
冷媒捕集部材はハウジングに接着固定されることを特徴とする請求項１乃至４の何れか１項に記載の圧縮機。
【請求項７】
冷媒捕集部材は互いに接合される２つ以上の部分から成ることを特徴とする請求項１乃至６の何れか１項に記載の圧縮機。
【発明の詳細な説明】
【技術分野】
【０００１】
本発明は、冷媒の圧縮機構と、圧縮機構を収容するハウジングとを備え、ハウジングは互いに接合された複数の部分ハウジングにより構成され、部分ハウジングの接合部にシール部材が配設された圧縮機に関するものである。
【背景技術】
【０００２】
冷媒の圧縮機構と、圧縮機構を収容するハウジングとを備え、ハウジングは互いに接合された複数の部分ハウジングにより構成され、部分ハウジングの接合部にシール部材が配設された圧縮機であって、前記接合部の外面に樹脂が塗布された圧縮機が特許文献１に開示されている。
【特許文献１】特開２００１−３４９４３２
【発明の開示】
【発明が解決しようとする課題】
【０００３】
特許文献１の圧縮機には、冷媒ガスの外部環境への漏洩を効果的に防止できるという利点があるが、ハウジング外面に塗布した樹脂を乾燥させるための養生時間が必要なので、圧縮機の生産性を低下させるという欠点がある。
【０００４】
本発明は上記問題に鑑みてなされたものであり、圧縮機の生産性を低下させない冷媒ガス漏洩防止策が施された圧縮機を提供することを目的とする。
【課題を解決するための手段】
【０００５】
上記課題を解決するために、本発明においては、冷媒の圧縮機構と、圧縮機構を収容するハウジングとを備え、ハウジングは互いに接合された複数の部分ハウジングにより構成され、部分ハウジングの接合部にシール部材が配設され、部分ハウジングの接合部を覆う冷媒捕集空間を有する冷媒捕集部材がハウジングの外面に取り付けられ、捕集空間内に冷媒吸着剤が配設されていることを特徴とする圧縮機を提供する。
本発明に係る圧縮機においては、部分ハウジングの接合部の隙間からハウジング外へ漏洩し、或いはシール部材を透過してハウジング外へ漏洩した冷媒ガスは、部分ハウジングの接合部を覆う冷媒捕集空間へ流入し、捕集空間内に配設された冷媒吸着剤に吸着される。この結果、外部環境への冷媒の漏洩が効果的に防止される。冷媒捕集部材をハウジングの外面に取り付ける作業に要する時間は、ハウジング外面に塗布した樹脂の養生時間に比べて短いので、本発明に係る冷媒漏洩防止策は、圧縮機の生産性を低下させない。
【０００６】
本発明の好ましい態様においては、冷媒吸着剤は活性炭である。
本発明の好ましい態様においては、冷媒吸着剤はゼオライトである。
活性炭、ゼオライトは、入手と取扱が容易であり、好適な冷媒吸着剤である。
【０００７】
本発明の好ましい態様においては、前記冷媒吸着剤は冷媒捕集空間の囲壁内面に担持される。
冷媒吸着剤粒子を冷媒捕集空間の囲壁内面に担持させることにより、冷媒捕集空間への冷媒吸着剤の配設作業が容易化される。
【０００８】
本発明の好ましい態様においては、冷媒捕集部材はハウジングに螺子止め固定される。
本発明の好ましい態様においては、冷媒捕集部材はハウジングに接着固定される。
冷媒捕集部材は、ハウジングに螺子止め固定されても良く、或いはハウジングに接着固定されても良い。
【０００９】
本発明の好ましい態様においては、冷媒捕集部材は互いに接合される２つ以上の部分から成る。
互いに接合される２つ以上の部分で冷媒捕集部材を構成することにより、冷媒捕集部材のハウジングへの取り付け作業が容易化される。
【発明の効果】
【００１０】
本発明に係る圧縮機においては、部分ハウジングの接合部の隙間からハウジング外へ漏洩し、或いはシール部材を透過してハウジング外へ漏洩した冷媒ガスは、部分ハウジングの接合部を覆う冷媒捕集空間へ流入し、捕集空間内に配設された冷媒吸着剤に吸着される。この結果、外部環境への冷媒の漏洩が効果的に防止される。冷媒捕集部材をハウジングの外面に取り付ける作業に要する時間は、ハウジング外面に塗布した樹脂の養生時間に比べて短いので、本発明に係る冷媒漏洩防止策は、圧縮機の生産性を低下させない。
【発明を実施するための最良の形態】
【００１１】
本発明の実施例に係る圧縮機を説明する。
【実施例１】
【００１２】
図１に示すように、可変容量型斜板式圧縮機Ａは、回転軸１０と、回転軸１０に固定されたローター１１と、傾角可変に回転軸１０に支持された斜板１２とを備えている。斜板１２は、斜板１２の傾角変動を許容するリンク機構１３を介してローター１１に連結され、ローター１１ひいては回転軸１０に同期して回転する。
斜板１２の周縁部に摺接する一対のシュー１４を介してピストン１５が斜板１２に係留されている。
ピストン１５は、シリンダブロック１６に形成されたボア１６ａに挿入されている。
回転軸１０、ローター１１、斜板１２を収容するクランク室１７を形成する有底円筒状のフロントハウジング１８が配設されている。回転軸１０は、フロントハウジング１８を貫通して外部へ延びている。回転軸１０のフロントハウジング貫通部に軸封部材１９が配設されている。
回転軸１０はフロントハウジング１８、シリンダブロック１６により回転可能に支持されている。
フロントハウジング１８に取り付けられた電磁クラッチ２０を介して図示しない外部駆動源から回転軸１０の先端部に回転動力が伝達される。
吸入室２１ａと吐出室２１ｂとを形成するシリンダヘッド２１が配設されている。
シリンダブロック１６とシリンダヘッド２１との間にボア１６ａに連通する吸入口と吐出口とが形成された弁板２２が配設されている。弁板２２に吸入弁と吐出弁とが装着されている。
【００１３】
ローター１１、斜板１２、リンク機構１３、シュー１４、ピストン１５、シリンダボア１６ａ等により圧縮機構が形成されている。
フロントハウジング１８、シリンダブロック１６、シリンダヘッド２１は、上記圧縮機構を収容するハウジングを形成している。
フロントハウジング１８、シリンダブロック１６、弁板２２、シリンダヘッド２１は、ボルト２３により一体に接合されている。
フロントハウジング１８とシリンダブロック１６との接合部、弁板２２とシリンダブロック１６との接合部、弁板２２とシリンダヘッド２１との接合部に、当該接合部をシールするガスケット２４、２５、２６が配設されている。シリンダブロック１６とシリンダヘッド２１は、ガスケット２５、弁板２２、ガスケット２６を間に挟んで互いに接合されていることになる。
【００１４】
溝型断面の環状部材から成る冷媒捕集部材２７が、内部空間である冷媒捕集空間２７ａがフロントハウジング１８とシリンダブロック１６との接合部を覆った状態で、ハウジングの外面に取り付けられている。
溝型断面の環状部材から成る冷媒捕集部材２８が、内部空間である冷媒捕集空間２８ａがシリンダブロック１６とシリンダヘッド２１との接合部を覆った状態で、ハウジングの外面に取り付けられている。
冷媒捕集部材２７、２８は、図２に示す半円状の一対の半部分を、それぞれハウジングに係合させ、長手方向両端部に形成したフランジ２７ｂ、２８ｂを互いに当接させボルト締めして環状に組み付け、各半部分の長手方向中央部に形成したリブ２７ｃ、２８ｃの小穴に挿通したボルト２７ｄ、２８ｄをハウジングに螺着させることにより、ハウジングに固定されている。
冷媒捕集空間２７ａ、２７ｂの囲壁内面、すなわち溝型断面の両側壁内面と底壁内面とに、活性炭粒子、ゼオライト粒子等の吸着剤粒子が、適当な接着剤を用いて担持されている。
【００１５】
可変容量型斜板式圧縮機Ａにおいては、図示しない外部駆動源の回転動力が電磁クラッチ２０を介して回転軸１０に伝達され、回転軸１０の回転がローター１１、リンク機構１３を介して斜板１２に伝達される。斜板１２の回転に伴う斜板１２周縁部の回転軸１０延在方向の往復動が、シュー１４を介してピストン１５に伝達され、ピストン１５がボア１６ａ内で往復動する。外部冷凍回路から還流した冷媒が、シリンダヘッド２１に形成された吸入ポートと吸入室２１ａと吸入口と吸入弁とを介してボア１６ａへ吸入され、ボア１６ａ内で圧縮され、吐出口と吐出弁と吐出室２１ｂとシリンダヘッド２１に形成された吐出ポートとを介して外部冷凍回路へ流出する。
【００１６】
ハウジング内の冷媒ガスのハウジングからの漏洩は、軸封部材１９、ガスケット２４〜２６により防止される。しかしハウジング内の冷媒ガス圧が高い場合には、ガスケット２４〜２６と隣接するハウジングとの間の微小隙間を介して、或いはガスケット２４〜２６を透過して、冷媒ガスがハウジング外へ漏洩する。ガスケット２４〜２６の部位、すなわちフロントハウジング１８とシリンダブロック１６との接合部、シリンダブロック１６とシリンダヘッド２１との接合部から漏洩した冷媒ガスは、冷媒捕集部材２７、２８の冷媒捕集空間２７ａ、２８ａへ流入し、冷媒捕集空間２７ａ、２８ａ内に配設された活性炭、ゼオライト等の吸着剤に吸着される。従って、ハウジング内の冷媒ガス圧が高い場合でも、冷媒ガスは外部環境中に漏洩しない。冷媒捕集部材２７、２８をハウジングの外面に取り付ける作業に要する時間は、ハウジング外面に塗布した樹脂の養生時間に比べて短いので、本実施例に係る冷媒漏洩防止策は、圧縮機Ａの生産性を低下させない。
活性炭、ゼオライトは入手と取扱が容易であり、好適な冷媒吸着剤である。
冷媒吸着剤粒子を、冷媒捕集空間２７ａ、２８ａの囲壁内面に担持させたので、冷媒捕集部材２７、２８をハウジングに取り付けた後に、適当な開口を介して冷媒捕集空間２７ａ、２８ａに冷媒吸着剤を充填する場合に比べて、冷媒捕集空間２７ａ、２８ａへの冷媒吸着剤の配設作業が容易化されている。
冷媒捕集部材２７、２８は、互いに接合される一対の半部分で構成されているので、ハウジングに容易に取り付けることができる。
【００１７】
冷媒捕集部材２７、２８をハウジングに接着固定しても良い。
冷媒捕集部材２７、２８を、互いに接合される３つ以上の円弧状部分で構成しても良い。
冷媒捕集部材２７、２８をハウジングに取り付けた後に、冷媒捕集部材２７、２８に形成した開口を介して、冷媒捕集空間２７ａ、２８ａに冷媒吸着剤を充填し、次いで前記開口を適当な手段で塞いでも良い。
【産業上の利用可能性】
【００１８】
本発明は斜板式圧縮機のみならず、互いに接合される二つ以上の部分ハウジングからなるハウジングを備える、冷媒圧縮用の圧縮機に広く利用可能である。
【図面の簡単な説明】
【００１９】
【図１】本発明の実施例に係る可変容量型斜板式圧縮機の断面図である。
【図２】本発明の実施例に係る可変容量型斜板式圧縮機が備える冷媒捕集部材の半部分の斜視図である。
【符号の説明】
【００２０】
Ａ  可変容量型斜板式圧縮機
１０  回転軸
１１  ローター
１２  斜板
１３  リンク機構
１４  シュー
１５  ピストン
１８  フロントハウジング
１９  軸封装置
２１  シリンダヘッド
２４、２５、２６  ガスケット
２７、２８  冷媒捕集部材
【図１】
2006046267.tif 000003
【図２】
2006046267.tif 000004